(57)【要約】      （修正有）【課題】立って使用する方法で、使用者自身の体重を足裏の反射ツボに集中させて効果的に刺激とマッサージを行うことができ、その使用においては、血液循環を促進したり、細胞の刺激により活?を生み老化を防止したり、体内毒素を排出したりする効果が得られ、特に、使用者が立って足裏を刺激する過程において、大腿部の筋肉を強化でき、且つ、大腿部の贅肉を落とす効果を得ることができる、足裏反射ツボマッサージ器の提供。【解決手段】足裏反射ツボマッサージ器１０は、一対のマッサージ座部２０及び一本の連結棒３０から構成され、マッサージ座部上面に突起状のマッサージ刺激部２１を設け、使用者が足裏をマッサージ刺激部上面に置いて立ち、且つ、自身の体重を集中し十分な?で使用者の足裏の反射ツボに対し効果的に刺激と押圧を行い、血液循環を促進し、体内の毒素を排出する。【選択図】図１
0003118042.tif 000002
【実用新案登録請求の範囲】
【請求項１】
一対のマッサージ座部及び一本の連結棒を含み、そのうち、該連結棒が該一対のマッサージ座部の間を連結し、且つ、該マッサージ座部の形状が、上が狭く下が広がった低重心で安定性の高い形状を呈することを特徴とする、足裏反射ツボマッサージ器。        
【請求項２】
前記マッサージ座部上面に突起状のマッサージ刺激部を設けたことを特徴とする、請求項１に記載の足裏反射ツボマッサージ器。
【請求項３】
前記マッサージ座部の形状が多角錐柱体であることを特徴とする、請求項１または２に記載の足裏反射ツボマッサージ器。        
【請求項４】
前記マッサージ座部の形状がピラミッド型であることを特徴とする、請求項１または２に記載の足裏反射ツボマッサージ器。
【請求項５】
前記マッサージ座部の形状が円錐柱体であることを特徴とする、請求項１または２に記載の足裏反射ツボマッサージ器。        
【請求項６】
前記マッサージ座部の形状が曲面を備えた円柱体であることを特徴とする、請求項１または２に記載の足裏反射ツボマッサージ器。
【考案の詳細な説明】
【技術分野】
【０００１】
本考案は、足裏反射ツボマッサージ器に関し、詳細には、使用者がその上に立ち、使用者自身の体重を集中させることで血液循環と体内毒素の排出を促進する、足裏反射ツボマッサージ器に関する。
【背景技術】
【０００２】
人体は新陳代謝の作用により、体内に蓄積した廃物や毒素を外へ排出するが、体内に蓄積した廃物や毒素を排出できなくなると、身体の健康が損なわれる。 
【０００３】
人?は立っているとき、人体の両足が頭と心臓から最も遠い距離に位置し、特に人体の血液循環は、下方向へは比較的容?であるが、上方向は困難であり、このため、人体の最も下方に位置する両足には廃物や毒素等の退社物質が蓄積しやすい。また、両足に痛み等がない場合、一般に人はあまり手入れに注意を払わず、両足に蓄積された廃物や毒素が対外へ排出されないため、人体の血液循環と新陳代謝の正常な作用に影響が出て、人体機能がゆっくりと退化してしまうことにつながる。
【０００４】
近年流行している「足裏マッサージ」は、?激の原?により人体各部位の器官や腺体の反射ツボを刺激することにより、人体の円滑な血液循環と正常な新陳代謝を促進するものである。このため、人体の足裏に「足裏マッサージ」を行うと、確実に治?と健康維持の効果が期待でき、人体に蓄積した体内の廃物や毒素を体外に排出することができる。 
【０００５】
しかしながら、現在の足裏マッサージ器の構造は、使用者が座った状態で足裏マッサージ器を使用する必要があり、このような使用方法は、十分な刺激力を足裏の反射ツボに集中的に与え、効果的に刺激することができず、真の足裏マッサージの効果を得ることができないという欠点があり、その円滑な血液循環と新陳代謝の加速の促進効果には限りがある。
【考案の開示】
【考案が解決しようとする課題】
【０００６】
上述の問題に鑑みて、本考案の主な目的は、立って使用する方法で、使用者自身の体重を足裏の反射ツボに集中させて効果的に?激とマッサージを行うことができ、その使用においては、血液循環を促進したり、細胞の?激により活?を生み老化を防止したり、体内毒素を排出したりする効果が得られ、特に、使用者が立って足裏を刺激する過程において、大腿部の筋肉を強化でき、且つ、大腿部の贅肉を落とす効果を得ることができる、足裏反射ツボマッサージ器を提供することにある。
【０００７】
本考案の別の目的は、一対のマッサージ座部及び一本の連結棒から構成され、各マッサージ座部上面は突起状を呈し、使用者がその上に立つことにより使用者自身の体重を利用して足裏の反射ツボに刺激を与えることができる足裏反射ツボマッサージ器を提供することにある。
【課題を解決するための手段】
【０００８】
本考案の足裏反射ツボマッサージ器は、一対のマッサージ座部及び一本の連結棒から構成され、マッサージ座部上面に突起状のマッサージ?激部を設け、使用者が足裏をマッサージ?激部上面に置いて立ち、且つ、自身の体重を集中し十分な?で使用者の足裏の反射ツボに対し効果的に?激と押圧を行い、血液循環を促進し、体内の毒素を排出する。
【考案を実施するための最良の形態】
【０００９】
図１に示すように、本考案の足裏反射ツボマッサージ器１０は、一対のマッサージ座部２０及び該一対のマッサージ座部２０間を連結する連結棒３０から構成される。 
【００１０】
この足裏反射ツボマッサージ器１０の各マッサージ座部２０の形状構造は、上が狭く下に向かって広がる低重心式の安定性の高い形状であり、且つ、各マッサージ座部２０の上面に突起状のマッサージ?激部２１を設ける。 
【００１１】
例えば、上が狭く下に向かって広がる低重心の安定性の高い形状のマッサージ座部２０は、その形状構造を図１に示すような多角錐柱体とすることができ、または図２に示すような曲面を備えた円柱体や円錐柱体、ピラミッド型、その他上が狭く下に向かって広がる低重心式の安定性の高い構造の幾何形体とすることができる。 
【００１２】
図３に示すように、使用者が両足でこの足裏反射ツボマッサージ器１０のマッサージ座部２０上面に立つか、両足で小さな足踏みを繰り返し、少しずつ位置を移動して使用するとき、足裏反射ツボマッサージ器１０のマッサージ座部２０の重心が低く、非常に安定性が高いため、ひっくり返ってしまうようなことはなく、使用者自身の体重が安定した状態で支えられるだけでなく、使用者の体重が足裏マッサージ器１０の各マッサージ座部２０のマッサージ?激部２１上面に集中され、さらにマッサージ座部２０のマッサージ?激部２１を突起状に設けていることにより、使用者の足裏の反射ツボに十分な力による刺激を効果的に集中させて与えることができるため、血液循環を促進したり、細胞の?激により活?を生み老化を防止したり、体内毒素を排出したりする効果が得られる。 
【００１３】
このほか、使用者が本考案の足裏反射ツボマッサージ器１０上面に立ち、移動しながら足裏の刺激を受けマッサージされる位置を絶え間なく変えるとき、使用者の大腿部の筋肉が運動効果を得ることができるため、使用者が本考案の足裏反射ツボマッサージ器１０を立って使用し、足裏を?激してマッサージを行う過程において、大腿部の筋肉の強化と贅肉を落とす効果を同時に得ることができる。 
【００１４】
以上、本考案の最良の実施例に基づき説明してきたが、創作目的とその達成できる効果が本考案と同等であり、関連技術に熟練した人物による簡?な修正や修飾、改?または変化を施したものはすべて本考案の主張する特許の範囲に含まれるものとみなす。
【図面の簡単な説明】
【００１５】
【図１】本考案の足裏反射ツボマッサージ器の立体外観斜視図である。
【図２】本考案の足裏反射ツボマッサージ器のマッサージ座部の上が狭く下に広がる安定性の高い基本構造を示す立体外観斜視図である。
【図３】本考案の足裏マッサージ器に使用者が立って使用し、使用者自身の体重を足裏マッサージ器のマッサージ座部上面に集中して分配し、足裏のマッサージ効果を得る使用状態を示す正面図である。
【符号の説明】
【００１６】
１０  足裏反射ツボマッサージ器 
２０  マッサージ座部 
２１  マッサージ刺激部 
３０  連結棒
【図１】
0003118042.tif 000003
【図２】
0003118042.tif 000004
【図３】
0003118042.tif 000005